(57)【要約】【課題】接着剤でコイルをコイル保持部材に固定するとき、コイル保持部材の裏側からはみ出す接着剤をふき取る作業を省略することができるレンズ鏡筒を提供する。【解決手段】光軸に対してほぼ直交する方向へ駆動してブレを補正するブレ補正光学系（１０）と、ブレ補正光学系（１０）を保持する保持枠（２０）と、ブレ補正光学系（１０）を電磁力によって駆動する駆動部の一部を構成する環状のコイル（３１）と、保持枠（２０）に一体に形成され、コイル（３１）が嵌合されるコイル保持部材（４０）とを備え、コイル保持部材（４０）に嵌合したコイル（３１）をコイル保持部材（４０）に固定するための接着剤を溜める凹部（５０）がコイル保持部材（４０）に形成されている。【選択図】図４
2011033955.tif 000002
【特許請求の範囲】
【請求項１】
光軸に対してほぼ直交する方向へ駆動してブレを補正するブレ補正光学系と、
前記ブレ補正光学系を保持する保持枠と、
前記ブレ補正光学系を電磁力によって駆動する駆動部の一部を構成する環状のコイルと、
前記保持枠に一体に形成され、前記コイルが嵌合されるコイル保持部材とを備え、
前記コイル保持部材に嵌合した前記コイルを前記コイル保持部材に固定するための接着剤を溜める凹部が前記コイル保持部材に形成されていることを特徴とするレンズ鏡筒。
【請求項２】
前記凹部にテーパ面が形成されていることを特徴とする請求項１記載のレンズ鏡筒。
【請求項３】
前記駆動部はボイスコイルモータであることを特徴とする請求項１又は２記載のレンズ鏡筒。
【請求項４】
前記コイル保持部材は合成樹脂であり、モールド成形されていることを特徴とする請求項１〜３のいずれか１項記載のレンズ鏡筒。
【発明の詳細な説明】
【技術分野】
【０００１】
この発明はレンズ鏡筒に関する。
【背景技術】
【０００２】
従来、撮影光学系の一部であるブレ補正光学系を、光軸に対してほぼ直交する方向に移動させることにより、撮像装置に加わる振動に起因する像の振動を防止し、被写体のブレを補正するブレ補正装置が知られている（下記特許文献参照）。
【０００３】
一般的なブレ補正装置として、ボイスコイルモータ等に代表される電磁アクチュエータにより、ブレ補正光学系を駆動するものがある。ボイスコイルモータのコイルは環状であり、レンズ保持枠の外周部に一体に形成されたコイル保持部材に嵌合している。一般に、コイルは、コイル保持部材に形成された例えば４つの切欠き（接着剤だまり）に接着剤を充填することよってコイル保持部材に固定される。
【先行技術文献】
【特許文献】
【０００４】
【特許文献１】特開２００５−７０１１３号公報
【発明の概要】
【発明が解決しようとする課題】
【０００５】
しかし、上記切欠きはコイル保持部材（コイル）の厚さ方向に貫通しているので、レンズ保持枠を傾けた状態で切欠きに接着剤を充填すると、接着剤が切欠きを介してコイル保持部材の裏側からはみ出る。その結果、接着剤がコイルに隣接する部材に付着して正常なブレ補正が困難になるおそれがある。したがって、接着剤の充填後にはみ出した接着剤をふき取る作業が必要であった。
【０００６】
この発明はこのような事情に鑑みてなされたもので、その課題は接着剤でコイルをコイル保持部材に固定するとき、コイル保持部材の裏側からはみ出す接着剤をふき取る作業を省略することができるレンズ鏡筒を提供することである。
【課題を解決するための手段】
【０００７】
上記課題を解決するため請求項１記載の発明は、光軸に対してほぼ直交する方向へ駆動してブレを補正するブレ補正光学系と、前記ブレ補正光学系を保持する保持枠と、前記ブレ補正光学系を電磁力によって駆動する駆動部の一部を構成する環状のコイルと、前記保持枠に一体に形成され、前記コイルが嵌合されるコイル保持部材とを備え、前記コイル保持部材に嵌合した前記コイルを前記コイル保持部材に固定するための接着剤を溜める凹部が前記コイル保持部材に形成されていることを特徴とするレンズ鏡筒である。
【０００８】
請求項２に記載の発明は、請求項１記載のレンズ鏡筒において、前記凹部にテーパ面が形成されていることを特徴とする。
【０００９】
請求項３に記載の発明は、請求項１又は２記載のレンズ鏡筒において、前記駆動部はボイスコイルモータであることを特徴とする。
【００１０】
請求項４に記載の発明は、請求項１〜３のいずれか１項記載のレンズ鏡筒において、前記コイル保持部材は合成樹脂であり、モールド成形されていることを特徴とする。
【発明の効果】
【００１１】
この発明によれば接着剤でコイルをコイル保持部材に固定するとき、コイル保持部材の裏側からはみ出す接着剤をふき取る作業を省略することができる。
【図面の簡単な説明】
【００１２】
【図１】図１はこの発明の一実施形態に係るレンズ鏡筒の断面を示す概念図である。
【図２】図２は手ブレ補正ユニットの斜視図である。
【図３】図３は図２のIII−III線に沿う断面を示す概念図である。
【図４】図４（ａ）はコイルをコイル保持部材に嵌合する前の状態を示す手ブレ補正ユニットの一部の斜視図、図４（ｂ）はコイルをコイル保持部材に嵌合した後の状態を示す手ブレ補正ユニットの一部の斜視図である。
【発明を実施するための形態】
【００１３】
以下、この発明の実施の形態を図面に基づいて説明する。
【００１４】
図１はこの発明の一実施形態に係るレンズ鏡筒１の断面を示す概念図である。
【００１５】
レンズ鏡筒１は不図示の被写体の像を像面上に結ぶ撮影光学系を有する交換レンズである。
【００１６】
レンズ鏡筒１に内蔵されている撮影光学系は、第１のレンズ群１０１、第２のレンズ群１０２、第３のレンズ群１０３、第４のレンズ群１０及び第５のレンズ群１０５からなる、５群構成のズームレンズである。
【００１７】
第３のレンズ群１０３はレンズ１０３Ａ及びレンズ１０３Ｂにより構成され、第５のレンズ群１０５はレンズ１０５Ａ及びレンズ１０５Ｂにより構成されている。レンズ１０は光軸Ｌと直交する方向（Ｙ方向及びＺ方向）に駆動されることによって像面上の像ブレを補正するブレ補正光学系として機能する。
【００１８】
ズームリング１２０を操作すると、第１のレンズ群１０１、第２のレンズ群１０２、第３のレンズ群１０３、第４のレンズ群１０及び第５のレンズ群１０５が光軸Ｌに沿って移動し、各レンズ群１０１，１０２，１０３，１０，１０５間の相対位置が変化し、撮影光学系の倍率が変わる。
【００１９】
フォーカスリング１１０を操作すると、第２のレンズ群１０２が光軸Ｌに沿って移動し、像面に被写体の像を結ぶ焦点調節レンズ群として機能する。
【００２０】
図２は手ブレ補正ユニットの斜視図、図３は図２のIII−III線に沿う断面を示す概念図である。なお、図２においては、一方のマグネット３２，３２及びヨーク３３，３３だけが図示されている。
【００２１】
この手ブレ補正ユニットは像面上の像ブレを補正するためのものであり、ボイスコイルモータ（駆動部）３０と可動枠（保持枠）２０とを備えている。
【００２２】
可動枠２０にはレンズ１０が保持されている。
【００２３】
また、可動枠２０にはコイル３１が嵌合されるコイル保持部材４０が一体に形成されている。コイル３１は環状であり、レンズ１０を電磁力によって駆動するボイスコイルモータ３０の一部を構成する。
【００２４】
ボイスコイルモータ３０は、光軸Ｌ周りにほぼ９０°の間隔をおいて可動枠２０の外周部に２つ配置されているが、２つのボイスコイルモータ３０の構成は同じであるので、以下、一方のボイスコイルモータ３０（Ｚ方向に配置されているボイスコイルモータ３０）だけを説明する。
【００２５】
ボイスコイルモータ３０は光軸Ｌに沿う方向で対向するように配置されたヨーク３３，３３と、ヨーク３３，３３に接着剤によって接着されたマグネット３２，３２とを備えている。そして、コイル３１はヨーク３３，３３とマグネット３２，３２とに対して移動自在である。コイル３１と、マグネット３２，３２とヨーク３３，３３とは光軸Ｌに沿う方向に並んでいる。マグネット３２，３２はヨーク３３，３３に挟まれ、コイル３１はマグネット３２，３２に挟まれている。コイル３１とマグネット３２，３２とヨーク３３，３３とによって磁気回路が形成される。
【００２６】
コイル３１はレンズ１０を駆動するための駆動電流が流れる銅線を巻いたものである。コイル３１の内周面は、コイル保持部材４０に精度よく嵌合できるように仕上げられている。なお、コイル３１の内径側の寸法精度を確保することは比較的容易である。
【００２７】
コイル保持部材４０は、可動枠２０の外周部に周方向に所定距離離して形成された一対の突起部２１，２２（図４（ａ）参照）を連結するように、可動枠２０と一体にモールド成形されている。コイル保持部材４０はほぼ楕円形状の板材である。コイル保持部材４０の厚さはコイル３１の厚さより薄い。コイル保持部材４０にはコイル保持部材４０に嵌合されたコイル３１をコイル保持部材４０に固定するための接着剤を溜める２つの凹部５０が形成されている。２つの凹部５０は互いに径方向及び周方向に所定距離だけ離れている。凹部５０にはテーパ面が形成されている。
【００２８】
マグネット３２，３２は永久磁石である。
【００２９】
ヨーク３３，３３はマグネット３２，３２とともに磁界を形成する部材（例えば珪素鋼板等の強磁性体）である。なお、ヨーク３３，３３は固定部材１３０（図１参照）に固定されている。
【００３０】
なお、レンズ１０のＺ方向、Ｙ方向の位置を検出するための位置センサ等の図示は省略されている。
【００３１】
コイル３１に電流を加えると、電流の流れる方向及び磁力線の方向に直角な方向に電磁力が発生する。したがって、コイル３１（Ｚ方向に配置されているボイスコイルモータ３０のコイル３１）が通電されると、Ｚ方向の力が発生し、レンズ１０がＺ方向へ移動する。なお、Ｙ方向に配置されているボイスコイルモータ３０のコイル３１が通電されると、Ｙ方向の力が発生し、レンズ１０がＹ方向へ移動する。
【００３２】
図４（ａ）はコイル３１をコイル保持部材４０に嵌合する前の状態を示す手ブレ補正ユニットの一部の斜視図、図４（ｂ）はコイル３１をコイル保持部材４０に嵌合した後の状態を示す手ブレ補正ユニットの一部の斜視図である。
【００３３】
コイル３１のコイル保持部材４０への固定方法を図４に基づいて説明する。
【００３４】
まず、図４（ａ）の状態にあるコイル保持部材４０にコイル３１を嵌合させる（図４（ｂ）参照）。
【００３５】
その後、可動枠２０を傾けて予め決められた量の接着剤を２つの凹部５０にそれぞれ充填する。
【００３６】
接着剤が固化したとき、コイル３１がコイル保持部材４０に固定される。
【００３７】
この実施形態によれば、コイル保持部材４０に凹部５０を形成したので、コイル保持部材４０に接着剤を充填した際にコイル保持部材４０の裏側から接着剤がはみ出さないので、接着剤をふき取る作業を省略することができる。また、凹部５０をテーパ面としたので、コイル保持部材４０に対するコイル３１の接着面積を減らすことなくコイル保持部材４０の厚さを薄くすることができる。
【符号の説明】
【００３８】
１０：レンズ（ブレ補正光学系）、２０：可動枠（保持枠）、３０：ボイスコイルモータ（駆動部）、３１：コイル、３２：マグネット、３３：ヨーク、４０：コイル保持部材、５０：凹部。
【図１】
2011033955.tif 000003
【図２】
2011033955.tif 000004
【図３】
2011033955.tif 000005
【図４】
2011033955.tif 000006